(57)【要約】【課題】鉄筋工事用スペーサーを作製する際に、脱型作業が容易であり、多量のスペーサーを同時に作製することができる型枠及び方法を提供することである。【解決手段】Ｎ個の型枠本体（１２）と、（Ｎ＋１）個の型枠側板（１４）（ここで、Ｎ≧１）とを備え、型枠本体が、矩形のプレートのほぼ上半部に半円形又は半円形の一部を切除した切欠き（１２ａ）を有するように形作られ、型枠側板が、前記型枠本体を形作る矩形のプレートとほぼ同じ寸法をもつ矩形のプレートとなるように形作られており、型枠本体の両側に型枠側板を配置することによって形成されることを特徴とする。【選択図】  図１
2005030016.tif 000002
【特許請求の範囲】
【請求項１】
鉄筋工事用ウォールスペーサーを作製するための型枠であって、
Ｎ個の型枠本体と、
（Ｎ＋１）個の型枠側板（ここで、Ｎ≧１）とを備え、
前記型枠本体が、矩形のプレートのほぼ上半部に半円形又は半円形の一部を切除した切欠きを有するように形作られ、前記型枠側板が、前記型枠本体を形作る矩形のプレートとほぼ同じ寸法をもつ矩形のプレートとなるように形作られており、
前記型枠本体の両側に前記型枠側板を配置することによって形成されることを特徴とする型枠。
【請求項２】
鉄筋工事用ウォールスペーサーを作製するための方法であって、
前記請求項１に記載の型枠を準備する段階と、
前記型枠を長さ方向および横断方向において固定する段階と、
切欠きによって形成される型枠の凹部の所定個所に鉄筋を配置した後に前記凹部にモルタル又はコンクリートを流し込むか、或いは、前記凹部にモルタル又はコンクリートを流し込んだ後に前記凹部の所定個所に鉄筋を配置する段階と、
前記モルタル又はコンクリートが硬化した後、前記固定を解除する段階と、を含むことを特徴とする方法。
【発明の詳細な説明】
【０００１】
【発明の属する技術分野】
本発明は、鉄筋工事用ウォールスペーサーを作製するための型枠、及び鉄筋工事用ウォールスペーサーを作製するための方法に関する。
【０００２】
【従来の技術】
鉄筋コンクリート構造物の施工時には、型枠を設置した後に型枠内の所定個所に鉄筋を組み立てたり、所定個所に鉄筋を組み立てた後に型枠を設置したりする必要があるが、その際、型枠内面と鉄筋との間隔（かぶり）を設計図通りに保持するため、スペーサーが用いられる。本発明者の共同事業者は、このような鉄筋工事の際に用いられる、取り付け易く、外れにくい、新規なスペーサーを提案している（特許文献１参照）。
【０００３】
【特許文献１】
特願２００３−１２４６３４号
【０００４】
【発明が解決しようとする課題】
上述のスペーサーは、鉄筋工事関連業者の間で、好評をもって迎えられている。本発明は、上述のスペーサーを作製する際に、脱型作業が容易であり、多量のスペーサーを同時に作製することができる型枠及び方法を提案するものである。
【０００５】
【課題を解決するための手段】
本願請求項１に記載の鉄筋工事用ウォールスペーサーを作製するための型枠は、Ｎ個の型枠本体と、（Ｎ＋１）個の型枠側板（ここで、Ｎ≧１）とを備え、前記型枠本体が、矩形のプレートのほぼ上半部に半円形又は半円形の一部を切除した切欠きを有するように形作られ、前記型枠側板が、前記型枠本体を形作る矩形のプレートとほぼ同じ寸法をもつ矩形のプレートとなるように形作られており、前記型枠本体の両側に前記型枠側板を配置することによって形成されることを特徴とするものである。
【０００６】
本願請求項２に記載の鉄筋工事用ウォールスペーサーを作製するための方法は、前記請求項１に記載の型枠を準備する段階と、前記型枠を長さ方向および横断方向において固定する段階と、切欠きによって形成される型枠の凹部の所定個所に鉄筋を配置した後に前記凹部にモルタル又はコンクリートを流し込むか、或いは、前記凹部にモルタル又はコンクリートを流し込んだ後に前記凹部の所定個所に鉄筋を配置する段階と、前記モルタル又はコンクリートが硬化した後、前記固定を解除する段階とを含むことを特徴とするものである。
【０００７】
【発明の実施の形態】
次に図面を参照して、本発明の好ましい実施の形態に係る型枠について詳細に説明する。図１は本発明の好ましい実施の形態に係る型枠の分解斜視図である。図１及び図２において全体として参照符号１０で示される本発明の好ましい実施の形態に係る型枠は、Ｎ個の型枠本体１２と、（Ｎ＋１）個の型枠側板１４とを備えている（Ｎ≧１、図１では、Ｎ＝１の場合を図示）。
【０００８】
型枠本体１２及び型枠側板１４は、木材で形成してもよく、合成樹脂材料で形成してもよいが、資源の有効活用とコスト低減の観点から、廃材を利用して形成するのが好ましい。
【０００９】
型枠本体１２は、厚さＤの矩形（縦Ｈ×横Ｌ）のプレートのほぼ上半部に半円形の切欠き１２ａを有するように形作られている。一方、型枠側板１４は、型枠本体１２を形作る矩形のプレートとほぼ同じ寸法をもつ矩形のプレート（縦Ｈ×横Ｌ）となるように形作られている。型枠側板１４の厚さＤ１  は通常、型枠本体１２の厚さＤよりも小さくなるように選定されている。
【００１０】
図２は、型枠本体１２の両側に型枠側板１４を配置した状態を示した斜視図である。型枠本体１２と型枠側板１４とを図２に示されるように配置することによって、型枠１０の中央部に半円板形の凹部が形成され、この凹部に鉄筋を配置してモルタル又はコンクリートを流し込むことにより、半円板形のウォールスペーサーが形成される。
【００１１】
次に、以上のように構成された型枠１０を使用して、鉄筋工事用ウォールスペーサーを作製するための方法について説明する。まず、Ｎ個の型枠本体１２及び（Ｎ＋１）個の型枠側板１４を準備する（図３（ａ）参照）。そして、各型枠本体１２の両側に型枠側板１４をそれぞれ配置して（図３（ｂ）参照）、型枠１０を構成する。次いで、型枠１０を長さ方向（Ｘ方向）において固定するための長さ方向固定具１６を用いて、型枠１０を長さ方向において固定するとともに、型枠１０を横断方向（Ｙ方向）において固定するための横断方向固定具１８を用いて、型枠１０を横断方向において固定する。
【００１２】
なお、長さ方向固定具１６は、最も端に位置する型枠側板にそれぞれ接触させ、図３（ｃ）の矢印Ａで示されるように、互いの方に押しつけることによって、型枠本体１２と型枠側板１４とが一体となるように構成されている。或いは、最も端に位置する型枠側板のうち一方を固定壁に接触させ（図示せず）、最も端に位置する型枠側板のうち他方を前記一方の型枠側板の方に押しつけることによって、型枠本体１２と型枠側板１４とが一体となるように構成してもよい。
【００１３】
横断方向固定具１８の高さＨ１  は、鉄筋を所望個所に位置決めさせるため、型枠本体１２及び型枠側板１４の縦寸法Ｈよりも高くなるように選定されている（図４参照）。また、横断方向固定具１８の上面には、ウォールスペーサーの作製時に鉄筋を一時的に固定すべく、鉄筋を差し込むための凹部１８ａが設けられている。このように構成された横断方向固定具１８を、横方向から型枠１０にそれぞれ接触させ、図３（ｃ）の矢印Ｂで示されるように、互いの方に押しつけることによって、型枠本体１２と型枠側板１４とが一体となるように構成されている。或いは、型枠１０の横方向の一方の側を固定壁に接触させ（図示せず）、型枠１０の横方向の他方の側を前記一方の側に押しつけることによって、型枠本体１２と型枠側板１４とが一体となるように構成してもよい。
【００１４】
次いで、横断方向固定具１８の凹部１８ａに鉄筋を差し込む（図３（ｄ）、（ｅ）参照）。しかる後、型枠本体１２の凹部１２ａにコンクリート又はモルタルを流し込む（図３（ｆ））。そして、コンクリート又はモルタルが硬化した後、長さ方向固定具１６及び横方向固定具１８を外す（図３（ｇ））と、ウォールスペーサーが得られる（図３（ｈ））。
【００１５】
或いは、前記実施の形態のように鉄筋を配置した後にコンクリート又はモルタルを凹部１２ａに流し込む代わりに、図５に示されるように、鉄筋を配置する前に凹部１２ａにコンクリート又はモルタルを流し込み（図５（ｄ）参照）、その後に鉄筋を所定個所に配置する（図５（ｅ）参照）ようにしてもよい。
【００１６】
なお、型枠側板１４の側面に剥離剤を塗布しておくことにより、型枠の脱型を容易に行うことができる。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態に示した型枠では、半円板形の形状のウォールスペーサーが形成されるが、図６（ａ）に示されるように、型枠本体１２の切欠き１２ａを半円板形の一部を切除した形状にすることにより、半円板形の一部を切除した形状を有するウォールスペーサーが得られる（図６（ｂ）参照）。
【００１９】
【発明の効果】
本発明によれば、型枠１０の構成部品１２、１４がそれぞれ別個に作られているため、脱型作業が極めて容易であり、かつ、多量のウォールスペーサーを同時に作製することが可能である。
【図面の簡単な説明】
【図１】本発明の好ましい実施の形態に係る型枠の分解斜視図である。
【図２】型枠本体の両側に型枠側板をそれぞれ配置した状態を示した斜視図である。
【図３】鉄筋工事用ウォールスペーサーを作製するための方法を示した一連の図である。
【図４】鉄筋工事用ウォールスペーサーを作製するための方法の一部を示した拡大斜視図である。
【図５】鉄筋工事用ウォールスペーサーを作製するための別の方法を示した一連の図である。
【図６】図６（ａ）は型枠の変形形態を示した分解斜視図、図６（ｂ）は図６（ａ）の型枠を用いて作製したウォールスペーサーの斜視図である。
【符号の説明】
１０  型枠
１２  型枠本体
１４  型枠側板
１６  長さ方向固定具
１８  横断方向固定具
【図１】
2005030016.tif 000003
【図２】
2005030016.tif 000004
【図３】
2005030016.tif 000005
【図４】
2005030016.tif 000006
【図５】
2005030016.tif 000007
【図６】
2005030016.tif 000008